【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
照射光に基づき被写体像の画像データを出力する撮像手段と、
前記撮像手段から出力される前記画像データに対して測光演算を行う測光手段と、
前記測光手段による測光演算結果が、前記撮像手段における入射光の輝度と出力レベルとの関係の線形性が保たれる領域に属するか否かを判断する線形領域判断手段と、
前記線形領域判断手段による判断結果に基づいて、前記測光手段による測光演算結果を補正する補正手段と、
前記補正手段によって補正された測光演算結果に基づいて、前記撮像手段の露出を制御する露出制御手段とを有することを特徴とする画像処理装置。
【請求項２】
前記補正手段は、前記線形領域判断手段により前記測光手段の測光演算結果が前記線形性が保たれる領域に属すると判断された場合、前記線形性に従って当該測光演算結果を補正することを特徴とする請求項１に記載の画像処理装置。
【請求項３】
前記補正手段は、前記線形領域判断手段により前記測光手段の測光演算結果が前記線形性が保たれる領域に属しないと判断された場合、当該測光演算結果に所定の係数を乗算して当該測光演算結果を前記線形性に従うように補正した後、その補正後の測光演算結果を前記線形性に従って補正することを特徴とする請求項１又は２に記載の画像処理装置。
【請求項４】
前記測光手段の測光演算結果が前記線形性が保たれる領域に属しない場合に前記補正手段により補正された測光演算結果に基づいて、前記露出制御手段が前記撮像手段の露出を制御した場合、その制御後に前記撮像手段から出力される画像データについて前記測光手段、前記線形領域判断手段及び前記補正手段が同じく機能し、前記露出制御手段は、前記補正手段により補正された測光演算結果に基づいて前記撮像手段の露出を再度制御することを特徴とする請求項３に記載の画像処理装置。
【請求項５】
前記補正手段は、前記線形領域判断手段により前記測光手段の測光演算結果が、高輝度側で前記線形性が保たれる領域に属しないと判断された場合、当該測光演算結果に対して等倍以上の係数を乗算して当該測光演算結果を前記線形性に従うように補正した後、その補正後の測光演算結果を前記線形性に従って補正することを特徴とする請求項３に記載の画像処理装置。
【請求項６】
前記補正手段は、前記線形領域判断手段により前記測光手段の測光演算結果が、低輝度側で前記線形性が保たれる領域に属しないと判断された場合、当該測光演算結果に対して等倍以下の係数を乗算して当該測光演算結果を前記線形性に従うように補正した後、その補正後の測光演算結果を前記線形性に従って補正することを特徴とする請求項３に記載の画像処理装置。
【請求項７】
照射光に基づき被写体像の画像データを出力する撮像手段を有する画像処理装置の制御方法であって、
前記撮像手段から出力される前記画像データに対して測光演算を行う測光ステップと、
前記測光ステップによる測光演算結果が、前記撮像手段における入射光の輝度と出力レベルとの関係の線形性が保たれる領域に属するか否かを判断する線形領域判断ステップと、
前記線形領域判断ステップによる判断結果に基づいて、前記測光ステップによる測光演算結果を補正する補正ステップと、
前記補正ステップによって補正された測光演算結果に基づいて、前記撮像手段の露出を制御する露出制御ステップとを含むことを特徴とする画像処理装置の制御方法。
【請求項８】
照射光に基づき被写体像の画像データを出力する撮像手段を有する画像処理装置の制御方法をコンピュータに実行させるためのプログラムであって、
前記撮像手段から出力される前記画像データに対して測光演算を行う測光ステップと、
前記測光ステップによる測光演算結果が、前記撮像手段における入射光の輝度と出力レベルとの関係の線形性が保たれる領域に属するか否かを判断する線形領域判断ステップと、
前記線形領域判断ステップによる判断結果に基づいて、前記測光ステップによる測光演算結果を補正する補正ステップと、
前記補正ステップによって補正された測光演算結果に基づいて、前記撮像手段の露出を制御する露出制御ステップとをコンピュータに実行させるためのプログラム。
【請求項９】
請求項８に記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像処理装置、その制御方法、プログラム及びコンピュータ読み取り可能な記録媒体
【手続補正３】
【補正対象書類名】明細書
【補正対象項目名】０００１
【補正方法】変更
【補正の内容】
【０００１】
本発明は、例えばディジタルカメラ等の露出制御機能を備えた画像処理装置、その制御方法、プログラム及びコンピュータ読み取り可能な記録媒体に関するものである。
【手続補正４】
【補正対象書類名】明細書
【補正対象項目名】０００９
【補正方法】変更
【補正の内容】
【０００９】
本発明の画像処理装置は、照射光に基づき被写体像の画像データを出力する撮像手段と、前記撮像手段から出力される前記画像データに対して測光演算を行う測光手段と、前記測光手段による測光演算結果が、前記撮像手段における入射光の輝度と出力レベルとの関係の線形性が保たれる領域に属するか否かを判断する線形領域判断手段と、前記線形領域判断手段による判断結果に基づいて、前記測光手段による測光演算結果を補正する補正手段と、前記補正手段によって補正された測光演算結果に基づいて、前記撮像手段の露出を制御する露出制御手段とを有することを特徴とする。
本発明の画像処理装置の制御方法は、照射光に基づき被写体像の画像データを出力する撮像手段を有する画像処理装置の制御方法であって、前記撮像手段から出力される前記画像データに対して測光演算を行う測光ステップと、前記測光ステップによる測光演算結果が、前記撮像手段における入射光の輝度と出力レベルとの関係の線形性が保たれる領域に属するか否かを判断する線形領域判断ステップと、前記線形領域判断ステップによる判断結果に基づいて、前記測光ステップによる測光演算結果を補正する補正ステップと、前記補正ステップによって補正された測光演算結果に基づいて、前記撮像手段の露出を制御する露出制御ステップとを含むことを特徴とする。
本発明のプログラムは、照射光に基づき被写体像の画像データを出力する撮像手段を有する画像処理装置の制御方法をコンピュータに実行させるためのプログラムであって、前記撮像手段から出力される前記画像データに対して測光演算を行う測光ステップと、前記測光ステップによる測光演算結果が、前記撮像手段における入射光の輝度と出力レベルとの関係の線形性が保たれる領域に属するか否かを判断する線形領域判断ステップと、前記線形領域判断ステップによる判断結果に基づいて、前記測光ステップによる測光演算結果を補正する補正ステップと、前記補正ステップによって補正された測光演算結果に基づいて、前記撮像手段の露出を制御する露出制御ステップとをコンピュータに実行させることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００８５
【補正方法】変更
【補正の内容】
【００８５】
図６はＣＣＤ（ｃｈａｒｇｅ ｃｏｕｐｌｅｄ ｄｅｖｉｃｅ：電荷結合素子）などの光電変換によって光画像を電荷像に変換する撮像デバイスにおける、入射光の輝度と出力レベルの対応を示したものである。ここで横軸は撮像素子の入射光の輝度であり、右方向がより高輝度である。縦軸は撮像素子によって光電変換された後の出力レベルであり、上方向がより高い出力である。６０１は一般的な撮像素子の特性を示しており、低輝度側では暗電流や熱雑音の影響により出力レベルが完全にゼロにはならず、Ｓ／Ｎ比が低下することで、輝度と出力レベルの関係において線形性が崩れる領域である。一方、高輝度側では撮像素子の備えるホトダイオードの蓄積容量を越えて飽和してしまう他、スミアやブルーミングの影響によって、やはり輝度と出力レベルの関係において線形性が崩れる領域である。